(57)【要約】      （修正有）【課題】人間が接触するための電極を設ける必要の無い入力デバイスの構造を提供する。【解決手段】マルチタッチ入力を行うことができる静電容量検知式のタッチパネルに用いる入力デバイスであって、被検出領域４内に設けた導電性素材によって形成された複数個の小領域５と、被検出領域４とは異なる部位に設けた導電性領域６からなる導電層３を有し、導電層３は、インク、塗料若しくはシートによる絶縁層である表層９によって覆われている。【選択図】図３
2015099514.tif 000002
【特許請求の範囲】
【請求項１】
マルチタッチ入力を行うことができる静電容量検知式のタッチパネルに用いる入力デバイスであって、
前記タッチパネルと接触若しくは近接可能な被検出領域と、
当該被検出領域内に設けた導電性素材によって形成された複数個の小領域と、
前記被検出領域とは異なる部位に設けた導電性領域と、
前記小領域同士および一または二以上の小領域と前記導電性領域を導通させる細幅の結合路を有し、
前記小領域、導電性領域および結合路を絶縁性の素材表面に設けるとともに、当該小領域、導電性領域および結合路の表面にインク、塗料若しくはシートによる絶縁層を設けたことを特徴とする入力デバイス。
【請求項２】
マルチタッチ入力を行うことができる静電容量検知式のタッチパネルに用いる入力デバイスであって、
前記タッチパネルと接触若しくは近接可能な被検出領域と、
当該被検出領域の表面若しくは被検出領域を構成する部位の積層された素材間に配置した導電性素材によって形成された複数個の小領域と、
前記被検出領域とは異なる部位に設けた導電性領域と、
前記小領域同士および一または二以上の小領域と前記導電性領域を導通させる細幅の結合路を有し、
前記小領域は、一定以上の間隔を隔てて配置されるように設定された配置可能座標上の何れかに配置され、
前記結合路は、前記配置可能座標の近接する二点の間に設けられていることを特徴とする入力デバイス。
【請求項３】
前記入力デバイスが薄板状のカードであることを特徴とする請求項１又は請求項２記載の入力デバイス。
【請求項４】
前記小領域、導電性領域および結合路を設ける基部が合成樹脂によって形成されていることを特徴とする請求項３記載の入力デバイス。
【請求項５】
前記小領域、導電性領域および結合路を白色若しくはグレー若しくは白色に近い薄色の導電性インクによって形成し、
当該小領域、導電性領域および結合路の表面を、これよりも濃い色の絶縁性インクによって隠蔽したことを特徴とする請求項３又は請求項４記載の入力デバイス。
【発明の詳細な説明】
【技術分野】
【０００１】
本発明は、静電容量検知式のタッチパネルに用いる入力デバイスに関する。
【背景技術】
【０００２】
現在、種々の電子機器に静電容量式のタッチパネルが搭載されている。このようなタッチパネルには特許文献１、８、９に記載の各種の方式があるが、タッチパネルに対する指先の接触を検出する精度と速度の向上により、５カ所、１０カ所といった多点に対する指先の接触をほぼ同時に検出することが可能になっている。
このような多点検出が可能なタッチパネルを利用して、指先の接触に代替する導電体による接触位置の組み合わせを符号化して識別可能な情報として利用する発明が特許文献１〜７に記載されている。
【０００３】
現在多くの機器で使用されている静電容量式のタッチパネルは、センサとなる部位に高周波電流を印加することで、センサと近接した人間との間で容量結合を行わせ、この容量結合に伴う回路上の変動を検出するものである。したがって、人間以外の物質を検出させる場合、その物質がセンサ回路で認識できる程度の容量結合を起こすために必要な要件を備えていなければならない。
また、現在流通しているスマートフォンやタッチパネルの面積がスマートフォンより広いタブレット端末の場合、パネル上に直径５〜１０ｍｍ程度の円形の接触面を有する金属体を単に置いてもこれを指先に相当する接触として認識することはできない。
【先行技術文献】
【特許文献】
【０００４】
【特許文献１】特許第４８１０５７３号公報
【特許文献２】特開２００５−７８０８６号公報
【特許文献３】特開２００６−１８５３３８号公報
【特許文献４】特開２０１１−１３４２９８号公報
【特許文献５】特表２０１３−５２９８００号公報
【特許文献６】特開２０１３−１６８１８７号公報
【特許文献７】特開２０１３−８９０１３号公報
【特許文献８】特許第４５８４３４２号公報
【特許文献９】特許第５０６３５６１号公報
【発明の概要】
【発明が解決しようとする課題】
【０００５】
指先に代替する導電性物質若しくは導電性領域（導電性を有する素材によって形成された領域）をタッチパネルに認識させる方法として、前記先行技術文献で示されているように導電性物質若しくは導電性領域と人間若しくは静電容量の大きい導電物とを接続する必要がある。しかし、前者の場合には人間が接触するための電極を表出させなければならないので美観を損ねる場合がある。また、後者の場合にはタッチパネルに認識させる部位よりも大きな領域を必要とするので外形が大きくなる傾向がある。また、複数の導電性領域をタッチパネルによって認識させる場合、直接人間が接触するよりも認識率が低下しやすいので、よる読み取り不良を低減するための工夫が望まれる。
【０００６】
本発明は当該事情に鑑み、静電容量式のタッチパネルに対して指先に代替する複数の導電性物質若しくは導電性領域を認識させる入力デバイスであって、第１に人間が接触するための電極を設ける必要の無い構造を提供することを課題とするものである。
また、第２に読み取り不良を低減する構造を有した入力デバイスの提供を課題とするものである。
また、これら第１、第２の課題の双方を解決する入力デバイスの提供を課題とするものである。
【課題を解決するための手段】
【０００７】
上記課題を解決するために本発明は以下の手段を有する。すなわち、
マルチタッチ入力を行うことができる静電容量検知式のタッチパネルに用いる入力デバイスであって、
前記タッチパネルと接触若しくは近接可能な被検出領域と、
当該被検出領域内に設けた導電性素材によって形成された複数個の小領域と、
前記被検出領域とは異なる部位に設けた導電性領域と、
前記小領域同士および一または二以上の小領域と前記導電性領域を導通させる細幅の結合路を有し、
前記小領域、導電性領域および結合路を絶縁性の素材表面に設けるとともに、当該小領域、導電性領域および結合路の表面にインク、塗料若しくはシートによる絶縁層を設けたことを特徴とする。
【０００８】
また、本発明は以下の手段を有する。すなわち、
マルチタッチ入力を行うことができる静電容量検知式のタッチパネルに用いる入力デバイスであって、
前記タッチパネルと接触若しくは近接可能な被検出領域と、
当該被検出領域の表面若しくは被検出領域を構成する部位の積層された素材間に配置した導電性素材によって形成された複数個の小領域と、
前記被検出領域とは異なる部位に設けた導電性領域と、
前記小領域同士および一または二以上の小領域と前記導電性領域を導通させる細幅の結合路を有し、
前記小領域は、一定以上の間隔を隔てて配置されるように設定された配置可能座標上の何れかに配置され、
前記結合路は、前記配置可能座標の近接する二点の間に設けられていることを特徴とする。
【０００９】
また、上記各手段において、前記入力デバイスが薄板状のカードであることを特徴とする。
【００１０】
また、上記各手段において、前記小領域、導電性領域および結合路を設ける基部が合成樹脂によって形成されていることを特徴とする。
【００１１】
また、上記各手段において、前記小領域、導電性領域および結合路を白色若しくはグレー若しくは白色に近い薄色の導電性インクによって形成し、
当該小領域、導電性領域および結合路の表面を、これよりも濃い色の絶縁性インクによって隠蔽したことを特徴とする。
【発明の効果】
【００１２】
本発明に係る入力デバイスは、当該入力デバイスが備える導電性の小領域を認識させることによって、当該小領域の個数と配置の組み合わせによって構成される固有の識別情報を静電容量式のタッチパネルによって認識させることができるものである。
そして、前記小領域を認識させるために必要な人間との接触を絶縁層で覆った導電性領域によって行うので、入力デバイスの表面に前記小領域と接続する電極のような手段を設ける必要がないという効果を有するものである。
また、タッチパネルによって認識させる小領域と前記導電性領域を結合する結合線を、小領域の配置可能位置を通らないように設けることで、タッチパネルによる小領域の検出時に誤認識や読み取り不良を起こしにくくする効果を有している。
【図面の簡単な説明】
【００１３】
【図１】本発明の一形態であるカードタイプの入力デバイスと当該入力デバイスを用いる携帯型電子機器の概略外観斜視図である。
【図２】図２（ａ）は携帯型電子機器のタッチパネルに対してカードタイプの入力デバイスを横向きに接触させた状態、図２（ｂ）は携帯型電子機器のタッチパネルに対してカードタイプの入力デバイスを縦向きに接触させた状態を表した概略斜視図である。
【図３】本実施の形態に係るカードの構造および制作工程を表した説明図である。
【図４】本実施の形態に係るカードに設けた導電層の説明図である。
【図５】タッチパネルによって認識される小領域の配置可能位置を示した説明図である。
【図６】本実施の形態に係るカードに設けた導電性領域の他の例を示した説明図である。
【図７】本実施の形態に係るカードに設けた表層の他の例を示した説明図である。
【図８】本実施の形態に係るカードに設ける結合路に関する説明図である。
【発明を実施するための形態】
【００１４】
以下、発明を実施するための形態を説明する。図１は、静電容量検知式のタッチパネルＰを備えた携帯型電子機器としてのスマートフォンＳと、当該スマートフォンＳに対する入力デバイスの一形態として形成されたカード１を表している。図２（ａ）は、スマートフォンＳの縦長矩形のタッチパネルＰに対して、縦長矩形のカード１の一側面を横向きに接触させた状態を表し、図２（ｂ）は、同タッチパネルに対して縦長矩形のカード１の一側面を縦向き（長手方向を一致させて）に接触させた状態を表している。以下、特に断りのある場合を除き、縦とは縦長矩形状の長手方向に沿った方向をいい横とは長手方向とは直交する幅方向をいう。
【００１５】
本発明に係る入力デバイスを一般的なトランプカードやクレジットカード程度のサイズを有するカード形状に形成した場合、図２（ａ）若しくは図２（ｂ）に示すように入力デバイスをタッチパネルに対して横向き又は縦向きに接触させることで、入力デバイスに保持させた情報を電子機器に対して認識させることができる。入力デバイスが保持する情報の認識には、認識処理機能を備えた専用のアプリケーションプログラム若しくは他の動作を行うアプリケーションプログラムと連携して実行される認識処理用のプログラムが必要である。この認識処理用のプログラムは、電子機器に予め記憶されているものでも良いし、認識処理用の全部又は一部をインターネットを介して接続したサーバ装置若しくはサーバ装置を経由した処理コンピュータによって行うようにしても良い。
電子機器で実行する認識プログラムの仕様には、図２に示した場合のように入力デバイスの向きを規定して被検出領域の向きや認識位置を固定的に設定する場合の他、タッチパネル全域を用いて被検出領域の向きに関わりなく被検出領域が有する情報を認識するものがある。本発明は、どのような仕様でも適用可能なものであるが、以下に説明する例では、カードが有する情報を認識するタッチパネル上の座標を予め固定的に定めておき、その設定された座標位置において認識される情報があるか否かを判定することによってカード１が保持する情報を取得できるように構成したものである。
【００１６】
カード１は、一例として図３（ａ）〜図３（ｃ）に示す行程によって形成される。図３に示す各図は、カード１のタッチパネルに接触する対向する側の一側面（以下「対向面」若しくは「接触面」という）に積層される層の構造を表している。母材である基材２を除く各層は、一例としてシルクスクリーン印刷、オフセット印刷、箔押し、フィルムのラミネート等各種の手法によって形成することができる。
図３（ａ）は、タッチパネルに接触する基材２の対向面に設けられる印刷層を表している。基材２は、合成樹脂シート若しくは紙製シートを母材として長方形状に形成されるものである。
大きさは、概ね現在一般に流通しているクレジットカードや遊戯用トランプカード程度である。カード１の対向面はタッチパネルに対して密着するように接触できることが好ましい。このため、繰り返しの使用や水分の含有量の変化などによって歪みが出ないことが望ましいため、基材２は合成樹脂シートによって形成することが好ましい。また、基材２を紙で形成する場合には、表裏両面に水分の透過を阻害するインク等の塗布や薄い樹脂フィルムの貼り付けが行われることが好ましい。
【００１７】
前記基材２の対向面には、導電性素材を含有した導電性インク若しくは金属箔によって所定形状の導電層３が形成される。当該導電層３は、略同一形状を成す円形の複数の小領域５と、当該小領域５よりも面積の広い導電性領域６と、前記小領域同士を接続する結合路７および小領域の一つまたは複数と前記導電性領域を接続する結合路８を有している。
小領域５は、本実施の形態では直径１０ｍｍの円形領域として形成されており、タッチパネルが有する検出用電極と容量結合することによって、その存在が検出される被検出部となっているものである。当該小領域５は、基材２の対向面に設定された所定領域（被検出領域４）の範囲内において一定の配列規則に基づいて設定された位置（配列可能位置、配列可能座標）の何れかに配置されている。被検出領域４は、基材２の長手方向および短手方向に沿った四辺を有する略矩形の領域として設定されている。
【００１８】
図４は、基材２上に設けた導電層３の一例を表したものである。本実施の形態では、５個の小領域（５ａ〜５ｅ）を、配置可能位置から選択された５カ所の何れかに配置した例を表している。配置可能位置は所定の法則に基づいて設定された座標上の点であり、小領域の中央である円の中心位置を配置可能座標に一致させて配置するようになっている。
被検出領域４は、タッチパネルに対して同時に接触可能な平面状の領域である。図２（ａ）に示すようにスマートフォンＳの縦長矩形のタッチパネルＰに対して横向きに接触させるカードの場合、カード１の長手方向の端部から中央付近までの略矩形の領域（タッチパネルＰの横幅程度）が被検出領域４となる。
【００１９】
被検出領域４に設定される配置可能位置は、一例として等間隔の行列（マトリクス）状に形成することができる。具体的には図５に示すように、基材２の長手方向に沿ったａ１〜ａ５に示す５本の列と、短手方向に沿ったｂ１〜ｂ４に示す４本の行の交点で特定可能な座標位置として定めることができる。この例における配置可能位置の設定法則は、各行および各列が１１ｍｍ幅で等間隔となっている。この配置可能位置は、電子機器で実行される小領域５の位置を検出するプログラムの仕様と一致するものであり、電子機器では同じ設定法則に基づいて設定されたタッチパネルの各座標上において小領域５の存在が認識できるか否かを検出することで小領域５が配置された位置を取得する。
すなわち、図示した例では５列×４行で形成される２０個の配置可能位置の何れに５個の小領域が配置されているのかを取得し、この配置の組み合わせをカード１が保有している固有の識別情報としてプログラム上で取り扱うものである。
【００２０】
前述の通り、前記ａ１〜ａ５列として表した縦軸とｂ１〜ｂ４行として表した横軸の交点が小領域５の配置可能座標となる。タッチパネルが小領域を検出するには、タッチパネルが有する所定面積の電極と対向する一定程度以上の面積を有した導電部が必要になる。タッチパネルは、このような面積のある小領域を認識すると、検出した情報を元に演算によってその小領域の中心座標を取得する。その座標が、予めタッチパネル上における読みとり位置として設定した座標と所定の誤差範囲内で一致する場合に、認識処理用のプログラムによってその位置に小領域が設けられているものと判定する。
【００２１】
カードが有する情報は、配置可能位置の座標を（a1b1、a1b2、a1b3、a1b4、a2b1・・・a5b1、a5b2、a5b3、a5b4）の２０個の座標位置として表すと、これら２０個の位置に小領域があるか否かを1／０で表すことができる。例えば、図４に示した例ではカードが有する情報を（０００１０１００００１１００００１００）と表すことができる。これをカードの固有情報としてプログラム上で認識することで、所定のプログラムにおける入力情報として利用することが可能になるものである。
なお、図２（ａ）に示すようにカード１を横向きで使用する場合には、ｂ１列全てに小領域を設けたものと他のｂ２、ｂ３、ｂ４行の何れかの行全てに小領域を設けたものは、カードの位置を一列分移動させると同一のものであると認識してしまうため区別をすることができない。また、１８０度反転させたカードを図示した例の反対側から接触させた場合も同様である。このように、カード上における配置座標が異なっていてもスマートフォンＳでは区別できない小領域の配置があるので、使用するアプリケーションプログラムによってはこのような配置を用いないか若しくは混同しても差し支えのないような配慮が行われる。
【００２２】
前述のように図４および図５に示した例は、ａ１〜ａ５に示す等間隔で配列した５本の列とｂ１〜ｂ５に示す等間隔で配列した５本の行による２０点を中心位置として小領域５を配置している。
一方、各列や各行の間隔が比例的に変化するような不等間隔にしてもよく、列と行を直交するのではなく両軸が直交を除く傾斜角度を成す座標を創設してもよく、幾重かの同心円上や渦巻き状の軌跡の上に配置可能位置を設定してもよい。その他、未使用の行や列を設定したり、規則性を排除したランダム座標を取得するプログラムを作成して配置可能位置を設定することもできる。このように配置可能位置のフォーマットや設定プログラムを種々設けることで、限られた領域において小領域の配置位置の異なる組み合わせパターンを多数創造し、入力デバイスによって構成される固有の識別情報の数を多数生成することができる。また、小領域の大きさを種々設けることによって、被検出領域４内に設けることが出来る小領域の個数を各種設定し、その組み合わせの数も任意に設定することができ、限られた面積を利用して多数の識別情報を得ることができる。
【００２３】
小領域５は領域全てがタッチパネルに近接する薄膜若しくは薄板状の導電部であるため、単体ではタッチパネルによって認識されにくい。しかしながら、タッチパネルと容量結合を行わない程度に距離を隔てて設けた他の導電性領域若しくは人間を含めた導電性の物体と直接若しくは間接的に接続することで認識されるようになる。この効果を利用するため各小領域５は、カード１の被検出領域４を設けた側とは反対側の端部付近に設けた導電性領域６と細幅の結合路７、８によって結合されている。
前記図３（ａ）に示した導電層３は、上記において説明した条件を満たす複数の小領域５、導電性領域６および結合路７、８を備えた状態で印刷機によって定められた位置に正確に印刷される。
【００２４】
また、本発明では導電性領域６が表層９を一例とする絶縁層を介して人体と容量結合を行うことを特徴の一つとしている。カード１をタッチパネルに接触させる場合、必然的にカード１の端部を指先で挟んで持つことになるので、この際に人体と導電性領域６とが近接して小領域５と人体とが容量結合する。コンデンサと同様に直流電流が流れることは無いが、高周波の印加や両電極間に電位差がある場合には電荷が移動する。このような現象を利用して、導電性領域６は結合路７、８を介して小領域５と人体とを容量結合させることができ、小領域５に人体が直接触れている場合と同様にタッチパネルによって検出させることができるようになっている。図示した例では、導電性領域６はカード１の被検出領域４を設けた側とは反対側の端縁付近において、横幅方向に亘る略１ｃｍ幅程度の領域として形成されている。端縁付近に設けたのは人体との近接を容易にするためである。
また、図６に示すように導電性領域６の表面積を大きくすると、導電性領域６自体が有する静電容量が増加するので、タッチパネルによる小領域５の検出が行われやすくなり、判読不良になる割合を低減させることができる。この場合、導電性領域６は、導電性領域６自体がタッチパネルが有する検出部に影響を与えないように、被検出領域４に対して若干距離を隔てた位置からカード１の端部付近に至る領域に設けられる。
【００２５】
また、図７に示すように他の実施例として導電性領域６を覆う絶縁層である表層９の表面に、さらに導電性インクや金属箔などによる導電性領域１５を形成してもよい。この導電性領域１５は、カードを把持する際に人体の手指が触れることで、手指と同様の容量体を構成するものである。導電性領域６と表層９を挟んで対向する部位に設けられることで、実質的に人体と導電性領域６が広範囲で対向するのと同様の作用を有するものである。
表層９の表面に被検出領域４と重ならない範囲で広く導電性領域１５を形成する場合、これに対向する導電性領域６の位置をカード１の端部ではなく中央寄りに設けることも可能となる。なお、この場合に用いる導電性領域１５は、カードに高級感を持たせるためのホログラムや、切り絵状の模様であるなど、装飾効果を付与したものであるとより好ましいものである。
【００２６】
次に、小領域５と導電性領域６を接続する結合路７の配置について説明する。小領域５は前述した前記ａ１〜ａ５として表した縦軸とｂ１〜ｂ４として表した横軸との交点である配置可能座標にその中心位置を配置する。本実施の形態におけるカード１では、この配置可能座標から選択される５カ所に小領域５を設ける仕様になっており、配置された小領域５の全てを直接若しくは他の小領域を介して導電性領域６と結合させている。
被検出領域４内には、小領域５以外の導電物をできる限り設けないことが好ましい。このため、小領域同士を導通させる結合路７を設ける場合であっても、タッチパネルによる小領域の検出に影響が出ないように幅が細く、長さが短く形成されることが望ましい。
また、小領域５が設けられていない配置可能座標からもできるだけ距離が離れていることが好ましく、かついずれかの配置可能座標に偏った配置であることは誤認識の可能性を高めるので、被検出領域４内においては各配置可能座標の中間位置若しくは等距離となる位置に結合路７を設けている。
【００２７】
図８（ａ）は、配置可能座標を示すａ１〜ａ５列とｂ１〜ｂ４行からなるマトリクス座標１２と、配置可能座標上の全てに小領域５を仮想的に配置したものと、各小領域同士を結合する結合線７の配置位置を示している。
図８（ｂ）は結合線７を設ける位置を線分１４、１０、１３によって表している。主要な線分は同図において符号１４（１４ａ、１４ｂ、１４ｃ、１４ｄ）によって示したａ１〜ａ５に平行な線分と、１０（１０ａ、１０ｂ、１０ｃ）、１１によって示したｂ１〜ｂ４に平行な線分と、これらの線分同士若しくは小領域同士を結合する傾斜した線分１３である。また、符号８ａ、８ｂ、８ｃ、８ｄは、縦方向に沿った線分１４（１４ａ、１４ｂ、１４ｃ、１４ｄ）の延長上にある導電性領域６との結合路を表している。
【００２８】
図８（ｃ）は、配置可能座標上に設けた５つの小領域と、これら小領域同士および小領域の一つと導電性領域６とを結合路によって結合した導電層３の形状パターンの一例を線分で表したものである。
同図に示されているように、小領域を連結する際に必要なａ１〜ａ５に平行若しくはｂ１〜ｂ４に平行な結合路（１０ａ、１０ｃ、８ａ、８ｂ、８ｃ）は、配置可能座標と交わらず、かつ各配置可能座標の中間を通過するようになっている。
そして、小領域５同士を結合する線分１３の位置に設けた結合路、および小領域５と配置可能座標を構成するマトリクス１２の縦横の各軸に平行な線分（１０ａ、１０ｃ、８ａ、８ｂ、８ｃ）と接続する線分１３の位置に設けた結合路も、配置可能座標と交わらずかつ直交する前記各軸に対して角度４５度で傾斜して設けられる。
【００２９】
また、結合路を設ける上での規則性として、小領域５に結合路１３を設ける際には導電性領域６に近い側に向かって設けることで、他の小領域若しくは幅方向若しくは長手方向に沿った結合路と接続することが好ましい。
なお、幅方向若しくは長手方向に沿った方向に小領域が連続的に隣接する場合にも原則として導電性領域６側に向かって傾斜した結合路１３を設けるが、隣接した小領域同士の間隔が比較的狭い場合には、例外的に最短距離で連結するような結合路を設ける場合もある。小領域の直径を小さく形成すると小領域間の隙間が広がるので、目安としてこの隙間が小領域の半径を越える場合には、原則通り上記傾斜した結合路を形成する。
また、近接する小領域同士を結合する結合線１３は、マトリクス１２の縦軸および横軸に対して４５度傾斜しているが、この傾斜角度は配置可能座標を構成する法則に応じて適宜修正されるものである。配置可能座標を構成する縦軸および横軸が等間隔ではなく比例的に間隔を変動させる場合など、種々の法則に基づいて設けられた座標軸に応じて変更される。このような場合、概ね全ての結合線について、配置可能位置を通過しないこと、複数の各小領域の配置可能座標に対して隣接する小領域との中間若しくは等距離を成す位置を通過すること、被検出領域４内においては総全長が出来るだけ短いこと等が結合線を形成する場合の優先事項となっている。
【００３０】
次に、導電層３を構成するインクについて説明する。当該インクは、当然ながら導電性を有する素材が含まれていることを必須の要件とする。導電性インクにはカーボンブラックによって導電性を発揮するものもあるが、色の濃い導電層３が形成されるので、この上に形成する印刷層の色も濃くなければ導電層３が透けて見えることになり存在を隠蔽することが難しい。
このため、対向面に印刷によって絵柄を構成するような場合には、導電層３を白色、淡色、薄いグレーなどの可視的に目立ちにくい色の導電性インク等によって形成することが好ましい。このような素材としては、例えば酸化チタンのような白色系でありかつ導電性のある塗膜を形成できるものを用いることが好ましい。
【００３１】
以上説明した入力デバイスに関する構造は、カード型に限らず人形やその他の立体的な造形物、玩具や遊戯類に属さない他の分野の物品にも適用することができるものである。
【産業上の利用可能性】
【００３２】
本発明は、静電容量式のタッチパネルを有する電子機器に対して、一度に多点を認識させることにより、当該多点の配置を識別情報として認識させることができる入力デバイスに利用可能である。
また、当該入力デバイスの形態は、カード形状に限らないものであるから、人形やその他の立体的な造形物、玩具や遊戯類に属さない他の分野の物品を入力デバイスとして利用することができるものである。
【符号の説明】
【００３３】
１  カード
２  基材
３  導電層
５（５ａ〜５ｅ）  小領域
６  導電性領域
７  結合路
８  結合路
９  表層
１０、１３、１４  線分
１５  導電性領域
Ｐ  タッチパネル
Ｓ  スマートフォン
【図１】
2015099514.tif 000003
【図２】
2015099514.tif 000004
【図３】
2015099514.tif 000005
【図４】
2015099514.tif 000006
【図５】
2015099514.tif 000007
【図６】
2015099514.tif 000008
【図７】
2015099514.tif 000009
【図８】
2015099514.tif 000010